(57)【特許請求の範囲】
【請求項１】
矩形接触盤加熱ヒーターに、被加熱物の離盤用として離型シートを被設した熱成形用シート・フィルム素材の加熱装置において、少なくとも下側の矩形接触盤加熱ヒーターに被設する離型シートは、被加熱物の搬送方向に対して前側のヒーター端部に一辺のみを固定して、他の３辺をフリー状態となすと共に上記固定した辺と相対する辺にシートを被加熱物の搬送方向に対して後側に引っ張ってシートに張力を与えるテンション付与手段を設けることを特徴とする熱成形用シート・フィルム素材の加熱装置。
【請求項２】
テンション付与手段が錘であることを特徴とする請求項１記載の熱成形用シート・フィルム素材の加熱装置。
【請求項３】
テンション付与手段がバネであることを特徴とする請求項１記載の熱成形用シート・フィルム素材の加熱装置。
【発明の詳細な説明】
【０００１】
【発明の属する技術分野】
本発明は、熱成形用シート・フィルム素材の加熱装置、特に矩形接触盤加熱ヒーターに、被加熱物の離盤用として離型シートを被設した熱成形用シート・フィルム素材の加熱装置に関する。
【０００２】
【従来の技術】
従来、熱成形用シート・フィルム素材、例えば熱可塑性樹脂繊維を含有する不織布基材等を成形温度に加熱する加熱装置として、矩形接触盤加熱ヒーターをシート・フィルム素材に接触させて加熱する接触加熱方式の加熱装置が良く知られている。
接触加熱式の加熱装置は、図５に示すように矩形接触盤加熱ヒーター（以下、ヒーターという）１，２から被加熱物４である熱成形用シート・フィルム素材の離脱を円滑にするために、通常、ヒーター１，２の表面をテフロン素材のメッシュ状フィルムからなる離型シート５，６で被覆している。
【０００３】
従来、上記離型シート５，６は、ヒーター１，２に対応して矩形に形成されており、相対する２辺又は４辺をヒーター１，２周縁部などに固定しているが、被加熱物４の加熱が完了し、成形ステージへ搬送する際、被加熱物４を挟んでヒーター１，２が上下に垂直に離れていくため、被加熱物４は面状での離型となり、ヒーター１，２と被加熱物４との間に大きな負圧が生じ、図５(ｂ)に示すように離型シート５，６が被加熱物４に密接してその中央部がヒーター面から浮き上がる状態となる。そしてこの状態で被加熱物４は成形ステージへ搬送されることになるが、被加熱物４の搬送移動対して離型シート５，６はヒーター１，２に拘束されているため、被加熱物４が離型シート５，６に引っ掛かる状態になり、図５(ｃ)に示すように被加熱物４に皺が出来るなどの損傷が発生する。
そこで、従来は、これを解消するため、被加熱物と離型シートが完全に離れた状態になるまで搬送開始を遅らせるようにしているが、被加熱物の温度が下がり成形不良の原因となっている。
【０００４】
【発明が解決しようとする課題】
本発明は従来技術が有する上記問題点に鑑みてなされたもので、その目的とする処は、被加熱物に対するヒーターによる加熱中の加圧力が除去された後、被加熱物に損傷を与えること無く直ちに被加熱物を搬送することが可能な加熱装置を提供することにより、被加熱物の成形温度不足による成形不良の改善を図ることにある。
【０００５】
【課題を解決するための手段】
上記目的を達成するために、本発明のシート・フィルム素材の加熱装置は、請求項１記載のように、矩形接触盤加熱ヒーターに、被加熱物の離盤用として離型シートを被設した熱成形用シート・フィルム素材の加熱装置において、少なくとも下側の矩形接触盤加熱ヒーターに被設する離型シートは、被加熱物の搬送方向に対して前側のヒーター端部に一辺のみを固定して、他の３辺をフリー状態となすと共に上記固定した辺と相対する辺にシートを被加熱物の搬送方向に対して後側に引っ張ってシートに張力を与えるテンション付与手段を設けるものである。
上記テンション付与手段は、錘又はバネとすることが出来る。
【０００６】
【発明の作用・効果】
以上のように構成した本発明の熱成形用シート・フィルム素材の加熱装置にあっては、被加熱物の加熱が完了し、成形ステージへ搬送する際、被加熱物を挟んでヒーターが上下に垂直に離れても、下側離型シートはテンション付与手段に引っ張られて常に張った状態に保持される。そのためヒーターと被加熱物との間に大きな負圧が生じても、少なくとも下側離型シートは被加熱物に密着してヒーター面から浮き上がるような状態とはならず、被加熱物の搬送移動に伴って搬送方向先端側から順次線状に離型が行なわれるようになる。
また、仮に被加熱物の搬送移動により下側離型シートが引っ張られても、この下側離型シートは可動であるため、被加熱物と一緒に移動することができ、被加熱物の搬送移動を妨げることがない。そのため被加熱物に皺が出来るなどの損傷が発生する恐れはない。
これにより、被加熱物は加熱完了後直ちに成形ステージへの搬送が可能になるをもって、成形温度不足による成形不良が改善される
【０００７】
【発明の実施の形態】
以下、本発明の実施の形態を、図に基づいて説明する。
図１において全体を符号Ａで示される加熱装置は、上下対向して配置した一対の矩形接触盤加熱ヒーター（以下ヒーターと略称する）１，２を備え、少なくとも上側のヒーター１はピストン形シリンダー装置などからなる駆動装置３により垂直に昇降し得るように構成されている。
【０００８】
この加熱装置Ａは、接触加熱方式の加熱装置であり、上側及び下側ヒーター１，２の間に被加熱物４、例えば熱可塑性樹脂繊維を含有する不織布基材等からなる熱成形用のシート・フィルム素材を導入して、少なくとも上側ヒーター１を上記駆動装置３で駆動して垂直に下降移動させ、被加熱物４を上下のヒーター１，２で挟んで被加熱物４の上下両面にヒーター１，２を接触させて、必要圧力を加えた状態で被加熱物４を加熱するものである。
【０００９】
被加熱物４である熱成形用のシート・フィルム素材は、不図示のクランプに保持されて、加熱ステージから成形ステージへ搬送されるようになっており、図においては、矢印ａの方向へ搬送される。
【００１０】
上記加熱装置Ａの上側及び下側ヒーター１，２は、夫々ヒーター面、即ち被加熱物４との接触面が離型シート５，６で被覆されている。
離型シート５，６はメッシュ状に形成されたテフロンフィルムで構成されており、上側ヒーター１には相対する２辺又は４辺をヒーター１側面部などに固定して取付けられ、下側のヒーター２には一辺のみをヒーター１に固定して取付けられている。
【００１１】
上記下側のヒーター２に取付けられて当該ヒーター２のヒーター面を被覆する離型シート（以下、下側離型シートという）６は、一辺をヒーターの熱成形用シート・フィルム素材の搬送方向に対して前側となる側端部（以下説明の都合上、仮に前端部と称する）に一辺を固定するのみで、他の３辺はどこにも固定しないフリーな状態となしてある。
【００１２】
この下側離型シート６はヒーター２の前端部からヒーター面上を被加熱材４の搬送方向に対して後側に向かって延びるように設けられており、後部は該方向のヒーター端部（以下説明の都合上、仮に後端部と称する）の更に後側に、ローラー面がヒーター面とほぼ同一水平にあるように設けたテンションローラー７を介して下方に垂下し、その垂下端縁には錘８が取付けられている。
【００１３】
従って、この下側離型シート６は、被加熱物４の搬送方向に対する後側に常に引っ張られてテンションが付与されるようになる一方、被加熱物４の搬送方向前側に向けて錘の重力以上の力が加えられれば、その方向へ可動となる。
上記錘は複数のウエートプレート8aを重ねて構成されており、エートプレート8a錘板8aの数を増減したり、ウエートプレート8aを交換することにより引っ張り力を調整し得るようになっている。
【００１４】
斯様に構成した本実施形態の加熱装置Ａは、被加熱物４の加熱が完了し、成形ステージへ搬送する際、被加熱物４を挟んでヒーター１，２が上下に垂直に離されるが、下側離型シート６は錘８に引っ張られて常に張った状態に保持され、ヒーター１，２と被加熱物４との間に負圧が生じても、離型シート６が被加熱物４に密接して中央部がヒーター面から浮き上がるような状態にはならない。従って、被加熱物４は、その搬送移動に伴って搬送方向先端側から順次線状に離型が行なわれるようになる。
また、仮に被加熱物４の搬送移動により離型シート６が引っ張られても、離型シート６が可動であるため、被加熱物４の搬送移動が妨げられて被加熱物に皺が出来るなどの損傷が発生する恐れはない。
従って、加熱完了後直ちに成形ステージへの搬送が可能になり、被加熱物４の成形温度不足による成形不良が改善される。また、成形サイクルの短縮を図ることも可能になる。
【００１５】
次に図２は、第２の実施形態を示すもので、前述の実施形態（第１の実施形態という）が下側離型シート６を錘で引っ張ることにより、下側離型シート６に張力を与えるようにしたのに対して、下側離型シート６の被加熱物移送方向に対する後側端部をバネ９で引っ張ることにより、下側離型シート６に張力を与えるようにしたものである。この実施形態のそれ以外の構造は第１の実施形態と実質的に変わるところはない。
【００１６】
上記バネ９は、前述の第１実施例の下側離型シート６同様、一辺を下側ヒーター２前端部に固定するのみで、他の３辺をフリーな状態となして、ヒーター２前端からヒーター面上を上記搬送方向に対する後側に向かって延ばし、ヒーター後側においてテンションローラー７を介して垂下せしめた下側離型シート６の垂下端辺に取付けられ、該端辺と装置Ａ下部若しくは装置Ａ設置床面とに亘って弾性的に張設される。
この実施形態のものも、第１の実施形態と全く同様の作用、効果を奏するが、第１の実施形態の方が、張力の調節が容易であるという利点がある。
【００１７】
次に図３は第３の実施形態、図４は第４の実施形態を示すもので、第３の実施形態は、第１の実施形態の変形であり、下側離型シート６だけでなく、上側離型シート５も、一辺のみを被加熱物搬送方向に対して前側となる上側ヒーター１の前端部に固定して、この辺と相対する辺をヒーター１後部においてテンションローラー７’を介して下方に垂下させて、錘８’で引っ張り、上側離型シート５にも張力を与えるようにしたものである。
【００１８】
また、第４の実施形態は第２の実施形態の変形であり、下側離型シート６だけでなく、上側離型シート５も、一辺のみをヒーター１の前端部に固定して、この辺と相対する辺をヒーター１後部においてテンションローラー７’を介して下方に垂下させて、バネ９’で引っ張り、上側離型シート５にも張力を与えるようにしたものである。
これら第３実施形態、第４実施形態も前述の第１、第２実施形態と同様の作用・効果を奏する。
【図面の簡単な説明】
【図１】本発明の第１の実施形態を示す熱成形用シート・フィルム素材の加熱装置の断面図で、（ａ）は被加熱物を加熱している状態を、（ｂ）は加熱が完了して被加熱物を成形ステージへ搬送するときの状態を夫々示す。
【図２】本発明の第２の実施形態を示す断面図で、（ａ）は被加熱物を加熱している状態を、（ｂ）は加熱が完了して被加熱物を成形ステージへ搬送するときの状態を夫々示す。
【図３】本発明の第３の実施形態を示す断面図で、（ａ）は上下のヒーター間に被加熱物を導入した状態を、（ｂ）は被加熱物を加熱している状態を、（ｃ）は加熱が完了して被加熱物を成形ステージへ搬送するときの状態を夫々示す。
【図４】本発明の第４の実施形態を示す断面図で、（ａ）は上下のヒーター間に被加熱物を導入した状態を、（ｂ）は被加熱物を加熱している状態を、（ｃ）は加熱が完了して被加熱物を成形ステージへ搬送するときの状態を夫々示す。
【図５】従来の熱成形用シート・フィルム素材の加熱装置を示す断面図で、（ａ）は上下のヒーター間に被加熱物を導入した状態を、（ｂ）は被加熱物を加熱している状態を、（ｃ）は加熱が完了して被加熱物を成形ステージへ搬送するときの状態を夫々示す。
【符号の説明】
Ａ：加熱装置
１：上側ヒーター
２：下側ヒーター
４：被加熱物
５：上側離型シート
６：下側離型シート
８：錘(テンション付与手段)
８’：錘(テンション付与手段)
９：バネ(テンション付与手段)
９’：バネ(テンション付与手段)
【図１】
0004225628.tif 000002
【図２】
0004225628.tif 000003
【図３】
0004225628.tif 000004
【図４】
0004225628.tif 000005
【図５】
0004225628.tif 000006